(57)【特許請求の範囲】
【請求項１】
テレビジョン放送において、受信機の画面に表示される複数チャンネル分の複数番組から選択される放送画面とこの放送画面に合った音声を制御するためのプログラムを通常放送帯域に付帯されるデータ放送帯域を使った放送により受信機に供給すると共に、通常番組１チャンネル分の画像信号，音声信号の放送帯域を使って複数チャンネル分の複数番組の放送内容を組合せると共に、複数放送の音声信号は１チャンネル分の放送における音声信号帯域に混成して乗せて前記受信機に放送し、当該受信機では予め前記データ放送帯域を用いて送られている前記プログラムによって、組合された複数チャンネル分の複数番組の画像，音声の混成信号から所望の一つの番組を選択し、受信機の画面に表示させ表示された画面の音声を出力させることを特徴とするものテレビジョン放送におけるデータ放送の放送方法。
【発明の詳細な説明】
【０００１】
【発明の属する技術分野】
本発明は例えばデジタルテレビジョン放送で一緒に放送されるデータ放送の放送方法に関する。
【０００２】
【従来の技術】
従来、放送衛星を使用した我国でのテレビジョン放送は、アナログ信号を用いた放送（ＢＳ放送）であったが、近々にデジタル信号を用いたＢＳ衛星放送が開始され、これに伴いデジタル衛星放送と一緒にデータ放送を実施することが予定されている。
【０００３】
このデータ放送は、通常の放送帯域にデータ放送帯域を付帯させた形式で実行されるので、通常放送帯域とデータ放送帯域を組合せた利用形態が考えられれば、従来の地上波、或は、アナログ波の衛星放送では実現することが出来なかった放送の利用形態をとることが可能になる。
【０００４】
【発明が解決しようとする課題】
本発明は、上記のデジタル衛星放送にデータ放送が付帯される点に着眼し、１チャンネルのデジタル衛星放送を受信する受信機の画面上に、複数チャンネル分の複数の放送内容を選択して表示できるようにすると共に、前記画面上に表示される複数チャンネル分の複数の放送内容の中から適宜の放送内容を視聴者が手許からの指令操作によって選択することができるように、前記受信機の画面表示を変更するためのプログラムを前記受信機にデータ放送の帯域を使って供給する放送方法を提供することを、その課題とするものである。
【０００５】
【課題を解決するための手段】
上記課題を解決することを目的としてなされた本発明放送方法の構成は、テレビジョン放送において、受信機の画面に表示される複数チャンネル分の複数番組から選択される放送画面とこの放送画面に合った音声を制御するためのプログラムを通常放送帯域に付帯されるデータ放送帯域を使った放送により受信機に供給すると共に、通常番組１チャンネル分の画像信号，音声信号の放送帯域を使って複数チャンネル分の複数番組の放送内容を組合せると共に、複数放送の音声信号は１チャンネル分の放送における音声信号帯域に混成して乗せて前記受信機に放送し、当該受信機では予め前記データ放送帯域を用いて送られている前記プログラムによって、組合された複数チャンネル分の複数番組の画像，音声の混成信号から所望の一つの番組を選択し、受信機の画面に表示させ表示された画面の音声を出力させることを特徴とするものである。
【０００６】
【発明の実施の形態】
次に本発明方法によるデータ放送の実施の形態例について、図を参照しつつ説明する。図１は本発明方法によるデータ放送を付帯したデジタル衛星放送を受信する受信機におけるモニタ画面の一例を模式的に示した正面図、図２は本発明方法のデータ放送とデジタル放送の一例を示すブロック図、図３は従来のテレビジョン放送受信機のブロック図である。
【０００７】
本発明のデータ放送方法では、我国におけるデジタル衛星放送の規格内で１チャンネル分の帯域に複数番組の画像，音声をデータ放送とともに組込んで放送するため、次のような工夫をしている。以下に、図１，図２を参照しつつ説明する。
【０００８】
図２において放送局Bc側では、複数チャンネル分の複数番組の映像をモニタ画面上で位置決めするため、１チャンネル分の番組におけるモニタの一画面を複数に分割、図２の例では９つに分割し、９つの分割画面に９チャンネル分の放送映像を組込んだ映像データVdを、放送衛星などを介して受信機Tvに向け放送する。なお、９チャンネル分の音声データAdも上記映像データVdと同時に放送されるが、音声データAdについては後述する。
【０００９】
受信機Tv側では、前記データVd，Adを１チャンネル分の放送データとして通常通りチューナ11で受信し、ＭＰＥＧ（Moving  Picture  Expents  Group）圧縮された受信データをそのデコーダ12で元に戻し、映像，音声データをそのデコーダ13においてデコードするが、先にデータ放送で受信している受信機Tvの画面制御のためのプログラムPrにより処理した映像がこの受信機Tvのモニタ画面１に送り出される。なお、14はＲＡＭである。
【００１０】
本発明では、前記９チャンネル分の映像データの送り出し時、電子ビームの書き出し点と映像データの送り出し点を、データ放送の受信により受信機Tvに供給される前記プログラムPrをコントローラ15によって作動させることにより制御するようにしている。具体的には、一例として、書き出し位置に時間差を与え複数チャンネル分の映像データをずらして送り出すことによって、１チャンネル分のモニタ画面上の分割された特定の位置に、複数チャンネル分の複数番組の異なる映像を、モニタ画面上での位置を選択して書き出すようにしている。
【００１１】
一方、音声信号については、次のように取扱うようにした。我国の衛星放送規格では、１チャンネル分の音声信号帯域に５つの音声信号を送ることを許容している。しかし、上述した映像信号の場合のように、１チャンネル分の帯域について５つを上回る数の放送番組（上記例では９チャンネル分）の音声情報を乗せて送ろうとすると、この１チャンネル分の音声帯域に乗せられない音声データが生じる。つまり、上記例では４チャンネル分の音声信号の帯域が不足する。そこで本発明では、１チャンネル分につき５つある音声信号帯域を、夫々に複数に分割し、分割した帯域に混成音声信号Adとして乗せて送り出し、該信号Adを受信した受信機Tv側で先に受信しているデータ放送によるプログラムPrをコントローラ15で作動させることによって前記の混成音声信号Adを分離し、スピーカ16から再生するようにした。
【００１２】
ここで、放送局Bcにおける複数チャンネル分の複数番組の音声信号の混成は、例えば我国の放送規格に定められた48kHzの転送レートを分割し、それぞれ分割数だけビット単位で交互に並べ替え、見かけ上は48kHzの音声信号Adとして送り出す。受信機Tvで受信された前記音声信号Adをスピーカ16で再生するときは、例えば２分割の場合には24kHz、３分割の場合には16kHzといった具合の音声転送レートで再生するように、プログラムPrが形成されているので、これをコントローラ15で作動させてスピーカ16で再生させる。スピーカ16で再生される音声信号は、ビット単位で組合せているため、音切れするおそれは皆無である。
【００１３】
図１は、前記受信機Tvにおけるモニタ画面１における映像の一例であり、モニタ画面１の上部には、水平方向に並んで５チャンネル分の放送名２が、ここでは「総合」21，「教育」22，「ＢＳ-１」23，「ＢＳ-２」24，「ハイビジョン」25と５個表示されている。
【００１４】
上記のモニタ画面１の表示においては、放送名２の表示中から、一例として「総合」21が選択されると、モニタ画面１の左半側が当該「総合」21の選択された放送内容の画像を表示するエリア３になり、画面１の右半側が、この総合放送21で放送される複数の放送番組４の複数のタイトル、ここでは５個のタイトル41〜45が帯状に上下方向で五段に表示されタイトル表示部となる。
【００１５】
従って、視聴者が、本発明方法によるデータ放送と通常のテレビジョン放送やデジタル衛星放送を受信できる受信機Tvであるテレビ受像機を操作するための手許型のリモートコントロールスイッチ（図示せず）により、モニタ画面１に表示された番組４における任意のタイトル41〜45のいずれかを選択すると、選択されたタイトル41〜45のいずれかに対応する放送内容の画像が、その表示エリア３に表示される。
【００１６】
また、視聴者が手許のリモートコントロールスイッチを操作して、モニタ画面１の放送名２の表示の中から任意の放送名21〜24のいずれかを逐次選択すると、モニタ画面１の表示が、選択した放送名21〜24のいずれかにおける番組４のタイトル41〜45と表示エリア３に変更されるので、変更されたモニタ画面１の表示状態において、タイトル41〜45の選択をすると、選択したタイトル41〜45のいずれかに応じた画像がその表示エリア３に表示される。
【００１７】
【発明の効果】
本発明は以上の通りであって、本発明放送方法により、デジタル衛星放送などによるテレビジョン放送における通常放送の１チャンネル分の帯域とこれに付随したデータ放送帯域を利用し、複数チャンネル分の複数の放送番組の内容とタイトルを、一つのチャンネル分のモニタ画面上に選択して表示できるようにしたから、複数チャンネル分の複数の放送番組の内容とタイトルを、テレビ画面上で視聴者側の操作によって検索することが可能になり、従って、テレビ番組のガイド誌や新聞のテレビ欄などがなくても、放送（チャンネル）の選択、並びに、番組の選択のために放送内容や放送時間、或は、放送名などのテレビ放送に関する情報をテレビ画面上に表示させていつでもチェックすることができるという、従来の地上波放送、或は、衛星放送では得られないデジタル放送とこれに付帯されたデータ放送とを組合せた形での放送の利用形態を実現することが出来る。本発明のデータ放送方法は、現行のアナログ放送に適用することもできる。
【図面の簡単な説明】
【図１】  本発明方法によるデータ放送を付帯したデジタル衛星放送を受信する受信機におけるモニタ画面の一例を模式的に示した正面図。
【図２】  本発明方法のデータ放送とデジタル放送の一例を示すブロック図。
【図３】  従来のテレビジョン放送受信機のブロック図。
【符号の説明】
１        受信機のモニタ画面
２        放送名
３        画像を表示するエリア
４        放送番組
41〜45    タイトル
Bc        放送局
Vd        複数番組の映像信号
Ad        複数番組の音声信号
Pr        データ放送で送られるプログラム（ＸＭＬ）
Tv        受信機
11        チューナ
12        ＭＰＥＧデコーダ
13        ＡＶデコーダ
14        ＲＡＭ
15        コントローラ
16        スピーカ
【図１】
0003639761.tif 000002
【図２】
0003639761.tif 000003
【図３】
0003639761.tif 000004